(57)【要約】【課題】簡易な調整機構によりライ角の調整が可能なゴルフクラブヘッドを提供すること。【解決手段】本ゴルフクラブヘッドは、ヘッド本体と、前記ヘッド本体に連結されるホゼル部材と、前記ヘッド本体と係合するネジ部材と、を有し、前記ヘッド本体は、フェース面からバック側に窪んだ第１凹部及び第２凹部、を備え、前記ホゼル部材は、孔部が設けられた円弧部と、前記円弧部の一方の端部に設けられたシャフト係合部と、を備え、前記円弧部が前記第１凹部に挿入された状態で、前記第２凹部及び前記孔部に挿入された前記ネジ部材が、前記ヘッド本体に設けられたネジ孔と係合している。【選択図】図１
2017104316.tif 000002
【特許請求の範囲】
【請求項１】
ヘッド本体と、
前記ヘッド本体に連結されるホゼル部材と、
前記ヘッド本体と係合するネジ部材と、を有し、
前記ヘッド本体は、フェース面からバック側に窪んだ第１凹部及び第２凹部、を備え、
前記ホゼル部材は、孔部が設けられた円弧部と、前記円弧部の一方の端部に設けられたシャフト係合部と、を備え、
前記円弧部が前記第１凹部に挿入された状態で、前記第２凹部及び前記孔部に挿入された前記ネジ部材が、前記ヘッド本体に設けられたネジ孔と係合しているゴルフクラブヘッド。
【請求項２】
前記円弧部は、少なくとも部分的に重心Ｇを中心とした円弧に沿って形成されている請求項１に記載のゴルフクラブヘッド。
【請求項３】
前記第１凹部は、ゴルフクラブヘッドの重心を中心とした円弧に沿って形成された円弧状の凹部である請求項１又は２に記載のゴルフクラブヘッド。
【請求項４】
前記第２凹部は、前記第１凹部と連続的に形成されている請求項１乃至３の何れか一項に記載のゴルフクラブヘッド。
【請求項５】
前記ヘッド本体のバック側には肉厚部が設けられており、
前記第２凹部の一部は前記肉厚部に形成されている請求項１乃至４の何れか一項に記載のゴルフクラブヘッド。
【発明の詳細な説明】
【技術分野】
【０００１】
本発明は、ゴルフクラブヘッドに関する。
【背景技術】
【０００２】
従来、ゴルフクラブヘッドのライ角を調整することにより、構えやすさが変わることが知られている。ゴルフクラブヘッドの調整方法としては、例えば、特許文献１及び２に記載の方法が提案されている。
【先行技術文献】
【特許文献】
【０００３】
【特許文献１】実登第３１９３９０２号
【特許文献２】米国特許第３９３１９６９号明細書
【発明の概要】
【発明が解決しようとする課題】
【０００４】
しかしながら、従来の調整方法では、調整機構が複雑であった。
【０００５】
本発明は、上記の点に鑑みてなされたものであり、簡易な調整機構によりライ角の調整が可能なゴルフクラブヘッドを提供することを目的とする。
【課題を解決するための手段】
【０００６】
本ゴルフクラブヘッドは、ヘッド本体と、前記ヘッド本体に連結されるホゼル部材と、前記ヘッド本体と係合するネジ部材と、を有し、前記ヘッド本体は、フェース面からバック側に窪んだ第１凹部及び第２凹部、を備え、前記ホゼル部材は、孔部が設けられた円弧部と、前記円弧部の一方の端部に設けられたシャフト係合部と、を備え、前記円弧部が前記第１凹部に挿入された状態で、前記第２凹部及び前記孔部に挿入された前記ネジ部材が、前記ヘッド本体に設けられたネジ孔と係合していることを要件とする。
【発明の効果】
【０００７】
開示の技術によれば、簡易な調整機構によりライ角の調整が可能なゴルフクラブヘッドを提供できる。
【図面の簡単な説明】
【０００８】
【図１】本実施の形態に係るパターヘッド１を例示する図である。
【図２】本実施の形態に係るパターヘッド１を例示する分解図である。
【図３】パターヘッド１を構成するヘッド本体１０を例示する図である。
【図４】パターヘッド１を構成するホゼル部材２０を例示する図である。
【図５】パターヘッド１を構成するネジ部材３０を例示する図である。
【図６】パターヘッド１の重心とシャフト軸線との関係を例示する図である。
【発明を実施するための形態】
【０００９】
以下、図面を参照して、実施の形態の説明を行う。なお、各図面において、同一構成部分には同一符号を付し、重複した説明を省略する場合がある。
【００１０】
図１は、第１の実施の形態に係るパターヘッド１を例示する図であり、図１（ａ）は平面図、図１（ｂ）は正面図、図１（ｃ）は背面図、図１（ｄ）は右側面図である。図２は、第１の実施の形態に係るパターヘッド１を例示する分解図であり、パターヘッド１を平面視したものである。なお、フェース面１１ｆ側から視た図を正面図としている。図１において、矢印ｄ１はフェース−バック方向（前後方向）を、矢印ｄ２はトウ−ヒール方向（左右方向）を、矢印ｄ３はトップ−ソール方向（上下方向）を示している。
【００１１】
図１及び図２を参照するに、パターヘッド１は、ヘッド本体１０と、ホゼル部材２０と、ネジ部材３０とを有している。フェース面１１ｆは、ボールをヒットする打撃面である。ホゼル部材２０及びネジ部材３０のフェース側の面は、フェース面１１ｆと面一であるか、又はフェース面１１ｆに対してバック側に窪んでいる。
【００１２】
パターヘッド１は、ライ角を調整可能に構成されている。ここで、ライ角とは、パターヘッド１が適正なアドレス位置で水平面にソールされたときに、水平面とシャフトの軸線との作る角度である。なお、パターヘッド１は、本発明に係るゴルフクラブヘッドの代表的な一例である。
【００１３】
以下、図１及び図２に加え、図３〜図５を参照しながら、パターヘッド１及びパターヘッド１の各構成部品について詳説する。
【００１４】
図３は、パターヘッド１を構成するヘッド本体１０を例示する図であり、図３（ａ）は平面図、図３（ｂ）は正面図、図３（ｃ）は背面図、図３（ｄ）は右側面図である。図４は、パターヘッド１を構成するホゼル部材２０を例示する図であり、図４（ａ）は平面図、図４（ｂ）は正面図、図４（ｃ）は背面図、図４（ｄ）は右側面図である。図５は、パターヘッド１を構成するネジ部材３０を例示する図であり、図５（ａ）は正面図、図５（ｂ）は平面図である。
【００１５】
図３等に示すように、ヘッド本体１０は、フェース面１１ｆを備えたフェース部１１と、底部を形成するソール部１２とを有しており、右側面視において略Ｌ字形とされている。ヘッド本体１０のフェース部１１のバック側であってソール部１２上のヒール側には、フェース部１１からバック側に突起した肉厚部１３が設けられている。フェース部１１と、ソール部１２と、肉厚部１３とは、例えば、一体に形成することができる。フェース面１１ｆとソール部１２の底面１２ｂとなす角θは、ロフト角が設定されている。
【００１６】
フェース部１１には、フェース面１１ｆからバック側に窪んだ第１凹部１４が設けられている。第１凹部１４は、ホゼル部材２０の円弧部２１と係合する部分である。従って、フェース面１１ｆ側から視た第１凹部１４の形状は円弧状とすることができるが、円弧部２１と係合可能な形状であれば円弧状には限定されない。
【００１７】
ヘッド本体１０には、フェース面１１ｆからフェース部１１を貫通して肉厚部１３の一部に達する第２凹部１５が設けられている。第２凹部１５のうち肉厚部１３に設けられた部分は、ネジ孔とされている。第２凹部１５は、第１凹部１４と連続して形成することができる。
【００１８】
第２凹部１５の内壁面のフェース側には、内壁面から外側に広がった拡幅部１５１が設けられている。フェース面１１ｆ側から視た拡幅部１５１を除く第２凹部１５の形状は、例えば、円形とすることができる。フェース面１１ｆ側から視た拡幅部１５１の形状は、例えば、拡幅部１５１を除く第２凹部１５の形状よりも大径の円形とすることができる。
【００１９】
拡幅部１５１を除く第２凹部１５は、フェース面１１ｆ側から視て、第１凹部１４内に形成される。又、拡幅部１５１は、フェース面１１ｆ側から視て、第１凹部１４の短手方向（略トウ−ヒール方向）の両側にはみ出るように形成される。拡幅部１５１のフェース側の面は、第２凹部１５にネジ部材３０を挿入したときに頭部３１のバック側の面と接し、ネジ部材３０のストッパとして機能する。
【００２０】
ヘッド本体１０の材料としては、例えば、チタン、チタン合金、アルミ合金、ステンレス等を用いることができる。又、ヘッド本体１０の一部が繊維強化樹脂等の材料で構成されてもよい。
【００２１】
図４等に示すように、ホゼル部材２０は、ヘッド本体１０に連結される部材である。ホゼル部材２０は、フェース面１１ｆ側から視て円弧の一部をなすように形成された円弧部２１と、円弧部２１の一方の端部（ヘッド本体１０とは反対側の端部）に設けられたシャフト係合部２２とを備えている。
【００２２】
円弧部２１には、細長状の孔部２１１が形成されている。孔部２１１は、例えば、円弧部２１より小幅で円弧部２１に沿った形状とすることができる。
【００２３】
シャフト係合部２２は、円弧部２１と一体に形成された略有底円筒状の部材であり、シャフトと係合する。シャフト係合部２２の内部には、シャフトの先端部が挿入されるシャフト挿入孔２２１が形成されている。シャフト挿入孔２２１は、円弧部２１に対してヘッド本体１０のフェース面１１ｆ側にオフセットして設けられている。
【００２４】
ホゼル部材２０の材料としては、例えば、チタン、チタン合金、アルミ合金、ステンレス等を用いることができる。
【００２５】
図５等に示すように、ネジ部材３０は、ヘッド本体１０と係合する部材である。ネジ部材３０は、円板状の頭部３１と、頭部３１の一方の側に設けられたネジ部３２とを備えている。頭部３１の直径は、第２凹部１５の拡幅部１５１の内径よりも小径、かつ、第１凹部１４の幅（短手方向の幅）よりも大径に形成されている。頭部３１には、例えば六角形の溝３１１が設けられている。溝３１１にドライバー等の先端部を挿入することでネジ部材３０を回転させることができる。ネジ部３２の直径は、円弧部２１の孔部２１１の幅よりも小径に形成されている。ネジ部３２は、第２凹部１５の一部をなす肉厚部１３に設けられたネジ孔と係合する。
【００２６】
ネジ部材３０の材料としては、例えば、チタン、チタン合金、アルミ合金、ステンレス等を用いることができる。
【００２７】
図１及び図２等に示すように、パターヘッド１を組み立てるには、まず、ヘッド本体１０のフェース側から第１凹部１４にホゼル部材２０の円弧部２１を嵌め込む。これにより、ホゼル部材２０は、円弧部２１の一部及びシャフト係合部２２がヘッド本体１０のトップ側から突出し、円弧部２１の残部がヘッド本体１０の第１凹部１４に係合した状態となる。
【００２８】
次に、ヘッド本体１０のフェース側からホゼル部材２０の円弧部２１に形成された孔部２１１及び第２凹部１５にネジ部材３０を回転させながら挿入する。これにより、ネジ部材３０のネジ部３２がフェース部１１を挿通し、肉厚部１３に設けられたネジ孔と係合し、パターヘッド１が完成する。
【００２９】
パターヘッド１において、孔部２１１で規定される範囲内で、ヘッド本体１０に対してホゼル部材２０を任意の位置に移動させた後、ネジ部３２を締めることにより、ライ角を調整することができる。すなわち、パターヘッド１では、簡易な構造で、ライ角を無段階で調整することが可能である。その結果、パターヘッド１の使用者がパターヘッド１を使用する際の、パターヘッド１の構えやすさを向上することができる。
【００３０】
なお、孔部２１１に代えて、円弧に沿って配置された複数の不連続な孔とすることも可能であるが、その場合には、孔の個数分の特定のライ角にしか調整できない。パターヘッド１のように、連続的に形成された１つの細長状の孔部２１１を設けると、ライ角を無段階で調整できる点で好適である。
【００３１】
図６は、パターヘッド１の重心とシャフト軸線との関係を例示する図である。図６において、Ｇはパターヘッド１の重心、Ｊはシャフト軸線、Ｃは重心Ｇを中心とする円弧を示している。
【００３２】
図６に示すように、フェース面１１ｆ側から視たパターヘッド１において、例えば、ホゼル部材２０の円弧部２１のトウ側部とヒール側部を、重心Ｇを中心とした円弧Ｃに沿って形成することができる。孔部２１１のトウ側部とヒール側部も、重心Ｇを中心とした円弧Ｃに沿って形成することができる。又、第１凹部１４のトウ側部とヒール側部も、重心Ｇを中心とした円弧Ｃに沿って形成することができる。
【００３３】
なお、ホゼル部材２０の円弧部２１のトウ側部とヒール側部、孔部２１１のトウ側部とヒール側部、及び第１凹部１４のトウ側部とヒール側部は、全体を重心Ｇを中心とした円弧に沿って形成してもよいし、少なくとも部分的に重心Ｇを中心とした円弧に沿って形成してもよい。
【００３４】
この場合には、ヘッド本体１０に対するホゼル部材２０の位置を矢印Ａ方向に移動させてライ角αを調整しても、重心Ｇとシャフト軸線Ｊとの位置関係を維持できる。つまり、ライ角αの調整位置に依らず、フェース面１１ｆ側から視た場合において、シャフト軸線Ｊは常に重心Ｇを通る。これにより、常に良好なフェースバランスを実現できる。
【００３５】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【００３６】
１  パターヘッド
１０  ヘッド本体
１１  フェース部
１１ｆ  フェース面
１２  ソール部
１２ｂ  底面
１３  肉厚部
１４  第１凹部
１５  第２凹部
２０  ホゼル部材
２１  円弧部
２２  シャフト係合部
３０  ネジ部材
３１  頭部
３２  ネジ部
１５１  拡幅部
２１１  孔部
２２１  シャフト挿入孔
３１１  溝
【図１】
2017104316.tif 000003
【図２】
2017104316.tif 000004
【図３】
2017104316.tif 000005
【図４】
2017104316.tif 000006
【図５】
2017104316.tif 000007
【図６】
2017104316.tif 000008